(57)【要約】      （修正有）【課題】携帯通信端末に登録した電話番号や電子メールアドレスの削除、更新等の編集の容易化を図る。【解決手段】電話帳ファイルに格納する電話番号及び電子メールアドレスの情報を含む個々の通信相手の電話帳レコードに登録日時及び重要度の情報をも登録し、前記登録日時及び重要度の情報の単独又は組み合わせにより電話帳ファイルを検索し、必要な電話帳レコードを抽出し、新たな電話帳レコード又は電話帳ファイルを作成して削除、更新を行い、電話帳レコード単位又は電話帳ファイル単位で元の電話帳ファイルの削除、更新を行う。【選択図】        図６
2004356905.tif 000002
【特許請求の範囲】
【請求項１】
電話番号及び電子メールアドレスの情報を含む個々の通信相手の電話帳レコードを電話帳ファイルに登録するとともに、前記電話帳レコードの削除、更新を可能とした携帯通信端末の電話帳管理方法であって、
前記電話帳レコードの電話番号及び電子メールアドレスに対応して登録日及び重要度の情報を登録し、前記登録日及び重要度の情報の単独又は組み合わせにより電話帳ファイルを検索し、検索結果により新たな電話帳ファイルを作成し、当該電話帳ファイルの電話帳レコードの削除、更新を行うことを特徴とする電話帳管理方法。
【請求項２】
前記電話帳レコードの電話番号又は電子メールアドレスは複数の登録が可能であり、それぞれに対応して前記登録日及び重要度の情報の登録が可能であり、前記検索結果による新たな電話帳ファイルは、前記登録日及び重要度の情報が付与された電話番号及び電子メールアドレスのみの電話帳レコードからなることを特徴とする請求項１記載の電話帳管理方法。
【請求項３】
前記重要度の情報は複数のランク別の情報であることを特徴とする請求項１又は２記載の電話帳管理方法。
【請求項４】
新たな電話帳ファイルを携帯通信端末に登録することが可能であることを特徴とする請求項１、２又は３記載の電話帳管理方法。
【請求項５】
前記新たな電話帳ファイルの電話帳レコードと元の電話帳ファイルの電話帳レコードとのリンク情報を作成することにより、新たな電話帳ファイルの電話帳レコード毎に削除、更新を行った後、当該電話帳レコードの内容を元の電話帳ファイルに反映させることにより、元の電話帳ファイルの電話帳レコードを個別に削除、更新することを特徴とする請求項１、２、３又は４記載の電話帳管理方法。
【請求項６】
前記新たな電話帳ファイルの電話帳レコードと元の電話帳ファイルの電話帳レコードとのリンク情報を作成することにより、新たな電話帳ファイルの削除、更新を行った後、当該電話帳ファイルの内容を元の電話帳ファイルに反映させることにより、新たな電話帳ファイルから元の電話帳ファイルの電話帳レコードを一括して削除、更新することを特徴とする請求項１、２、３又は４記載の電話帳管理方法。
【発明の詳細な説明】
【０００１】
【発明が属する技術分野】
本発明は、電話帳管理方法に関し、特に、携帯電話機等の携帯通信端末の電話帳機能の管理を簡易に実行できる電話帳管理方法に関する。
【０００２】
【従来の技術】
携帯通信端末においては、電話帳機能を有し、内蔵メモリに複数の通信相手の名前とふりがな、電話番号、電子メールアドレス、短縮番号等の個々の記録の情報（レコード）を格納可能であり、前記レコードは、適宜表示部に五十音別等に表示することにより所望の電話番号等の選択を可能とし、又は短縮番号の入力により所望の電話番号等の指定を可能とし、発信等を簡便に行えるように構成されている。
【０００３】
従来、このような電話帳機能において登録した複数のレコードに関して、その登録日や時刻をもそれぞれ対応付けて登録しておき、所望のレコードの呼出時に、レコードの登録日や時刻を表示し、また、登録してあるレコードを各々の登録日時順に並べ替えてユーザーに表示しうるように構成することが知られている（特許文献１参照）。
【０００４】
【特許文献１】
特開２００１−１３６２６６号公報
【０００５】
【発明が解決しようとする課題】
従来の携帯通信端末の電話帳機能では、登録可能な最大件数は通常５００件以上あって、その範囲内であればいくらでも追加登録が可能であり、しかも個々の名前に対して複数の電話番号や電子メールのメールアドレスをも登録することが可能である。
【０００６】
この結果、次第に登録されるレコードが膨大となるのみならず、登録した時点では必要だったレコードであっても、仮に登録したものや携帯通信端末の電話番号等の変更、廃止したもの等、何年か経つと使用できなくなっているものも少なくない。つまり、頻繁に使用する電話番号等であれば更新が行われるが、めったに使用しないものは放置され使えなくなっているという問題がある。
（目的）
本発明の目的は、所定の登録日、該登録日以前又は以後で且つ所定の重要度の電話帳レコード等からなる電話帳ファイルの作成、及びその削除、更新を可能とする電話番号管理方法を提供することにある。
本発明の目的は、携帯通信端末に登録した電話番号やメールアドレスから、すでに使用しなくなった電話番号やメールアドレスの候補を抽出し、それらを削除、更新することを可能とした電話番号管理方法を提供することにある。
本発明の目的は、携帯通信端末に登録した電話番号や電子メールアドレスからその登録日及び重要度に応じたものを検索し、削除、更新を容易に行うことが可能な電話番号管理方法を提供することにある。
【０００７】
【課題を解決するための手段】
本発明の電話帳管理方法は、電話番号及び電子メールアドレスの情報を含む個々の通信相手の電話帳レコードを電話帳ファイルに登録するとともに、前記電話帳レコードの削除、更新を可能とした携帯通信端末の電話帳管理方法であって、前記電話帳レコードの電話番号及び電子メールアドレスに対応して登録日及び重要度の情報を登録し、前記登録日及び重要度の情報の単独又は組み合わせにより電話帳ファイルを検索し、検索結果により新たな電話帳ファイルを作成し、当該電話帳ファイルの電話帳レコードの削除、更新を行うことを特徴とし、前記電話帳レコードの電話番号又は電子メールアドレスは複数の登録が可能であり、それぞれに対応して前記登録日及び重要度の情報の登録が可能であり、前記検索結果による新たな電話帳ファイルは、前記登録日及び重要度の情報が付与された電話番号及び電子メールアドレスのみの電話帳レコードからなることを特徴とする。また、前記重要度の情報は複数のランク別の情報であることを特徴とし、新たな電話帳ファイルを携帯通信端末に登録可能であることを特徴とする。
【０００８】
更に、前記新たな電話帳ファイルの電話帳レコードと元の電話帳ファイルの電話帳レコードとのリンク情報を作成することにより、新たな電話帳ファイルの電話帳レコード毎に削除、更新を行った後、当該電話帳レコードの内容を元の電話帳ファイルに反映させることにより、元の電話帳ファイルの電話帳レコードを個別に削除、更新することを特徴とし、又は、前記新たな電話帳ファイルの電話帳レコードと元の電話帳ファイルの電話帳レコードとのリンク情報を作成することにより、新たな電話帳ファイルの削除、更新を行った後、当該電話帳ファイルの内容を元の電話帳ファイルに反映させることにより、新たな電話帳ファイルから元の電話帳ファイルの電話帳レコードを一括して削除、更新することを特徴とする。
【０００９】
【発明の実施の形態】
（構成の説明）
図１は、本発明の電話帳管理方法が適用される携帯通信端末の構成を示す図である。同図において、１は無線アンテナ、２は無線部、３は制御部、４は表示部、５は操作部、６は読み出し専用メモリ（ＲＯＭ）、７はランダムアクセスメモリ（ＲＡＭ）、８は通話部である。以下、各部の機能概要について説明する。
【００１０】
無線部２は、無線アンテナ１を介して携帯通信端末の基地局との無線通信を行うため制御信号及び通信データの変復調機能等を有する。表示部４は携帯通信端末の入力情報、送受信情報、メニュー画面情報、個々の電話番号や電子メールアドレス等の登録・編集画面等の各種表示機能を有する。操作部５は、数字０〜９からなるテンキー、発信、着信等の通信制御等に加え、電話帳機能等の入力機能を有する。
【００１１】
ＲＯＭ６には、予め携帯通信端末の通常の通信機能に関する各種プログラムに加えて、後述する本発明の電話帳管理の専用プログラムが記憶されている。ＲＡＭ７は、制御部３の処理動作のための書き込み及び読み出しを可能とする記憶機能であって、電話通信及び電子メールの通信のための情報、メニュー情報等の情報等の記憶機能に加えて、通信相手単位の個々の電話番号や電子メールアドレス等の情報（「電話帳レコード」という）からなる電話帳のファイル（「電話帳ファイル」という）の記憶機能を有する。通話部８はレシーバとマイクで構成され音声データの送受話機能を有する。
【００１２】
制御部３は、携帯通信端末の選択された機能に関し、ＲＯＭ６に記憶された該当するプログラムを読み出し、当該プログラムに基づいて携帯通信端末の各部を制御し、各種の機能を実現する。例えば通常の各種設定、機能選択、通信制御、無線アンテナ１を通して無線部２によって受信されたデータ等をデータの種類によって分類しＲＡＭ７（又はＲＯＭ６）に格納するとともに表示部４に内容を表示する表示制御等の他に、本発明の電話帳機能の表示を含む各種制御を実行する。
【００１３】
以上の構成により本実施の形態の通信機能に関しては、使用者は表示部４の表示内容に基づいて操作部５からの入力操作により通信相手（相手側）の電話番号を入力し、あるいはＲＡＭ７に格納された電話帳ファイルの個々の電話帳レコードを読み出し、所望の電話番号を選択し発信操作を行う。制御部３は前記操作により無線部２を通じて通信制御信号を無線送信し、基地局との回線の接続又は切断を制御する。回線接続状態においては、制御部３は相手側との送受信の処理を行い、通話部８により音声通話が可能となる。また、操作部５からの入力操作により作成され、一旦ＲＡＭ７に格納された電子メール（メール）等に関し、制御部３から無線部２を通じて送信メールデータとして送信し、また受信メールデータは表示部４に表示するとともにＲＡＭ７に保存する。
【００１４】
図２は、本実施の形態の電話帳機能のより詳細な構成を示す図である。電話帳機能に関しＲＯＭ６及びＲＡＭ７に格納される情報を示している。
ＲＯＭ６には、電話帳機能プログラムとして電話帳プログラム６１、電話帳検索プログラム６２及び時計情報プログラム６３が格納されている。また、ＲＡＭ７には、電話帳としての電話帳ファイルの格納領域であって、電話番号格納部７１、メールアドレス格納領域７２、登録日時格納領域７３及び重要度情報格納領域７４を有し、電話帳ファイルを構成する個々の通信相手の情報である、それぞれ電話番号、メールアドレス、その登録日時及び重要度の情報からなる電話帳レコードが格納されている。なお、電話番号及びメールアドレスは１通信相手に対し複数を格納することができ、登録日時及び重要度の情報は電話番号及びメールアドレス毎に格納することができる。
【００１５】
電話帳プログラム６１は、電話帳機能の基本プログラムであり、起動により制御部２２を制御し、例えば電話帳レコードの画面を表示部２０に表示し、電話番号、メールアドレス、その登録日時及び重要度の情報を登録し、又は既登録の電話帳ファイルを開き登録されている電話帳レコードの電話番号、メールアドレス等を利用する機能を有し、更に、時計情報プログラム６３及び電話帳検索プログラム６２と協働して、電話帳ファイル及び電話帳レコードの編集・管理を行う機能を有する。
【００１６】
電話帳プログラム６１の電話帳ファイルの前記登録／利用機能により、操作部５から入力された電話番号及びメールアドレス、又は、制御部２２により送受信時の電話番号及びメールアドレスをＲＡＭ７の電話帳番号格納領域７１及びメールアドレス格納領域７２に格納し、又は読み出し利用することができる。
【００１７】
時計情報プログラム６３は、同様に制御部２２を制御し、電話番号及びメールアドレスの登録時に当該登録日時（必要により曜日）について、操作部５の入力操作又は制御部２２の電話番号やメールアドレスの送受信等を検出することで日及び時間情報を取得する機能を有し、電話帳プログラム６１は、時計情報プログラム６３で取得した前記登録日時をＲＡＭ７の登録日時情報格納領域７３に電話番号及びメールアドレスに対応させて登録する機能を有する。このため登録日時情報格納領域７３は電話番号格納領域７１及びメールアドレス格納領域７２と電話帳レコード毎に１対１に対応する。
更に、電話帳プログラム６１は、電話番号やメールアドレスに関して使用者が使用頻度などを考慮して操作部５から入力した、例えばＡ，Ｂ，Ｃなどのランク付けを表す重要度の情報を重要度情報格納領域７４に登録し、削除、更新する機能を有する。このため重要度情報格納領域７４は電話番号格納領域７１及びメールアドレス格納領域７２と電話帳レコード毎に１対１に対応する。なお、操作部５から入力された電話番号やメールアドレスは表示部４に表示されると同時に前記各格納領域に格納される。
【００１８】
電話帳検索プログラム６２は、起動時に制御部２２を制御し、表示部４に電話帳レコードの検索条件の入力画面を表示させ、操作部５から検索条件の入力データを受け取り、前記画面で検索条件の入力を表示し、入力された条件に一致する電話番号やメールアドレスをＲＡＭ７に格納されている電話帳ファイルから検索して全て抽出して出力し、新たな電話帳レコード（電話帳ファイル）を作成する機能と、作成した電話帳レコードに対応する抽出元の電話帳レコード又は電話帳ファイルがどこであるかを示すためのリンク情報を作成し、新しい電話帳レコードとして保存する機能とを有する。検索条件としては、登録日（必要により登録時）、重要度の何れか又はその組み合わせ（ＡＮＤ、ＯＲ）が指定できる。
【００１９】
電話帳検索プログラム６２により抽出された電話帳レコードは、電話帳プログラム６１により新規の電話帳ファイルが作成され、抽出元の電話帳レコード又は電話帳ファイルのリンク情報により管理され、電話帳プログラム６１の電話帳レコードの表示画面において、電話番号、メールアドレス、登録日時及び重要度の各情報の編集が可能である。
【００２０】
次に、本発明の実施の形態の動作を図２〜図６を参照して詳細に説明する。  図３は、本実施の形態の電話帳レコードのデータ構成及び表示画面を示す図である。
本実施の形態では、電話帳レコード９は電話帳ファイル内の個人名等の単位のデータであり、氏名を表示する名前フィールド９１、氏名の読み仮名を表示するヨミガナフィールド９２、第１の電話番号１を表示する第１の電話番号フィールド９３、第２の電話番号２を表示する第２の電話番号フィールド９４、第１のメールアドレス１を表示する第１のメールアドレスフィールド９５、第２のメールアドレスを表示する第２のメールアドレスフィールド９６、登録日時を表示する登録日時情報フィールド９７及び重要度情報を表示する重要度情報フィールド９８から構成される。
【００２１】
名前フィールド９１、ヨミガナフィールド９２には、それぞれ個人の名前、対応する読み仮名を入力する。第１の電話番号フィールド９３、第２の電話番号フィールド９４は個人の電話番号を入力する。それぞれの電話番号は異なる番号を入力することができる。同様に、第１のメールアドレスフィールド９５、第２のメールアドレスフィールド９６は個人のメールアドレスを入力する。それぞれ異なるメールアドレスを入力することができる。
ここで、第１の電話番号フィールドの枠が太く表示されているのはこのフィールドにフォーカス（又はカーソル）があることを意味している。登録日時情報フィールド９７は前出のフォーカスのある電話番号、メールアドレスが登録された日時を示している。電話番号１、電話番号２、メールアドレス１、メールアドレス２の間でフォーカスを移動した場合には、フォーカスのあるフィールドのデータがそれぞれの登録された日時を表示する。なお、登録日時情報フィールドは電話番号１、電話番号２、メールアドレス１、メールアドレス２のそれぞれ個別に表示場所を設けて表示することができる。
【００２２】
重要度情報フィールド９８は、フォーカスのある電話番号、メールアドレスの重要度のランクを表示している。重要度情報フィールド９８としては、電話番号１、電話番号２、メールアドレス１、メールアドレス２のそれぞれ個別に表示場所を設けて表示するように構成することもできる。
【００２３】
（動作の説明）
以下、操作部５からの電話帳登録の操作により、電話帳プログラムの起動後の電話帳ファイルへの電話帳レコードの登録の動作について説明する。
図４は、電話帳ファイルへの電話帳レコードの登録時に登録日時及び重要度情報を入力する方法のフロー図である。
【００２４】
電話帳プログラムを起動すると表示部４に図３に示す電話帳レコードの画面が表示され、個々の情報の入力が可能となる。電話帳プログラムの起動時、既に名前フィールド９１及びヨミガナフィールド９２までが入力済みであるとすると、電話帳レコードの画面の電話番号１フィールド９３へフォーカスを移動し、当該フィールドに電話番号の入力を行う（４０１）。入力が完了した時点で、電話帳プログラムは時計情報プログラムが自動的に取得したその時点の日時を、電話番号１用の登録日時情報フィールド９７に入力する（４０２）。
【００２５】
次に、電話番号１に対する重要度情報を入力するかどうかを選択する（４０３）。重要度情報を格納する場合は、重要度順のＡ，Ｂ，Ｃなどの記号を選択肢から選択し、選択した重要度の記号を電話番号１用の重要度情報フィールドに格納する（４０４）。重要度情報を入力しない場合は当該重要度情報フィールドは空き状態となる。
【００２６】
次に、電話番号２を入力するか否かを選択する（４０５）。入力する場合は、続けて電話番号２を入力し（４０６）、そのときの登録日時の情報はプログラムにより自動的に格納する（４０７）。電話番号２を入力しない場合は処理が終了する。
【００２７】
次に、電話番号２に対する重要度情報を入力するか否かを選択する（４０８）。重要度情報を入力する場合は、重要度Ａ，Ｂ，Ｃなどの記号を選択肢から選択し、電話番号２用の重要度情報フィールドに格納する（４０４）。入力をしない場合は電話番号２用の重要度情報フィールドは空き状態となる。
【００２８】
以下、操作部５からの電話帳検索の操作により、電話帳検索プログラムの起動後の電話帳レコードの検索の動作について説明する。
図５は、登録日時情報と重要度情報を使った電話帳検索の方法のフロー図である。同図により本実施の形態の電話帳検索方法を説明する。
【００２９】
まず、操作部５の入力操作により電話帳検索プログラムによる検索機能を起動する（５０１）。検索機能が起動すると表示部４に検索対象として日時を入力するか否かが表示される（５０２）。検索対象として日時を入力する場合は操作部５から当該日時を入力する（５０３）。日時の入力の完了又は日時の入力を行わない場合は次のステップに移行する。次のステップでは、検索対象として重要度の情報を入力するか否かがを表示される（５０４）。重要度の情報を入力する場合は操作部５から重要度のレベルＡ，Ｂ，Ｃの何れかを選択的に入力する（５０５）。重要度の情報の入力の完了又は入力しない場合は次のステップに移行する。
【００３０】
次に、操作部５の検索開始の操作により入力された検索条件により検索処理を実行し、検索対象の日時は登録日時情報フィールドを検索し、検索対象の重要度は重要度情報フィールドを検索し、電話帳ファイルから当該条件と一致する電話番号等を検索し電話帳レコードを抽出する（５０６）。なお、検索対象の日時と重要度はそれぞれ単独、あるいは論理積（ＡＮＤ），論理和（ＯＲ）のそれぞれの論理の組み合わせで検索することも可能であり、また、例えば所定の登録日、該登録日以前又は以後等、重要度の複数の範囲等、範囲指定による検索が可能である。
【００３１】
更に、操作部５からの操作により、抽出された電話帳レコードについての電話帳プログラムによる電話帳レコードの削除、更新の方法を説明する。
図６は、抽出された電話帳レコードの電話番号等の削除、更新の方法を示すフロー図である。
検索処理を実行して抽出した電話番号のひとつひとつに対して、電話帳レコードを新たに作成する（６０１）。新たに作成された電話帳レコードには、抽出元の電話帳ファイル及び電話帳レコードがどれであるか、その中のどの電話番号から抽出したかのリンク情報も含まれる（６０２）。こうすることにより、抽出元の電話帳レコードに複数の電話番号が登録されていても、抽出元の他の電話番号とは無関係に該当電話番号だけを確認することができる。
【００３２】
作成した電話帳レコードの内容を表示する（６０３）。表示内容にもとづき、削除、更新、終了の処理機能を選択する（６０４）。
更新を選ぶと（６０５）、電話帳レコードの内容の変更等、新データに更新することができる。更新した内容を抽出元へ反映するかどうかを確認する（６０６）。更新を選ぶと前出の抽出元のリンク情報の使用して抽出元の電話番号等にも更新をかける（６０７）。更新の完了後は、新たに作成した電話帳レコードは不要になることもあるので、削除の選択が可能である（６０８）。削除を選択した場合はこの電話帳レコードそのものを削除する（６０９）。削除しない場合には、この電話帳レコードは新たな電話帳レコードとしてそのまま残すことができる。
【００３３】
処理機能の選択のステップ６０４において、新たに作成した電話帳レコードに対して何も削除、更新等を行わない場合は終了を選択する（６１０）。
処理機能の選択のステップ６０４において、削除を選ぶと（６１１）、抽出元のデータも削除するか否かが表示され（６１２）、抽出元も削除する場合、前出の抽出元のリンク情報を使用して抽出元の電話番号も削除し、この電話帳レコードそのものも削除する（６１３）。削除しない場合には、この電話帳レコードだけを削除して、抽出元の電話番号は削除されない。
図６に示す電話帳レコードの削除、更新等の編集の処理フローの動作は電話帳レコード単位で検索結果のデータ毎に繰り返し実行される。
【００３４】
（他の実施の形態）
以上の実施の形態では、電話帳レコード単位で電話帳ファイルを編集する例を説明したが、電話帳検索プログラムにより検索抽出した電話帳レコードから構成される電話帳ファイルを電話帳プログラムにより表示部に表示して、操作部５からの操作により、各電話帳レコードを纏めて編集し、当該電話帳ファイル単位でリンク情報を用いて抽出元の電話帳レコードに反映させることにより一括して削除、更新するように構成することができる。
【００３５】
図７は、電話帳検索プログラムにより抽出した電話帳レコードから作成した電話帳ファイルの表示画面を示す図であり、図８は電話帳ファイル単位で抽出元の電話帳レコードを一括して削除、更新する処理フローを示す図である。
検索結果の複数の電話帳レコードからなる電話帳ファイルを作成し（８０１）、抽出元の電話帳ファイルとの関連のリンク情報を作成し（８０２）、前記電話帳ファイルを表示し（８０３）、機能を選択する（８０４）。個々の電話帳レコードに関し削除、更新する場合（８０５）は、電話帳ファイル単位で全ての電話帳レコードの該当部分を削除、更新する。更に、抽出元を更新する場合（８０６）は、削除、更新後の電話帳ファイル単位でリンク情報により電話帳レコードを対応付け、例えば上書きする等により抽出元の電話帳レコードを纏めて削除、更新する（８０７）。また、作成した電話帳ファイル又は更新後の電話帳ファイルは削除することも、全く異なる新たな住所録ファイルとして異なるファイル名によりＲＡＭに追加して格納することも可能である（８０８、８０９）。また、ステップ８０４で削除、更新を行わない場合は終了する（８１０）。以上により一括して抽出元の住所録ファイルの削除、更新を可能とする。
【００３６】
【発明の効果】
本発明によれば、電話帳レコードにその登録日時を登録するとともに重要度の情報を登録することにより、これらを検索条件として電話帳ファイルから必要な電話帳レコードを抽出し、新たな電話帳ファイルを作成し、電話帳レコードの削除、更新を行うことができるから、所定の登録日、該登録日以前又は以後で且つ所定の重要度の電話帳レコードからなる電話帳ファイルの作成、及びその削除、更新を可能とし、所望の電話帳ファイルの作成が可能である。特に、前記電話帳レコードの電話番号又は電子メールアドレスは複数の登録を可能とし、それぞれに対応して前記登録日及び重要度の情報の登録を可能とすることにより、前記登録日及び重要度の情報が付与された電話番号及び電子メールアドレスのみの等の全く新らいし電話帳ファイルを作成することが可能である。
【００３７】
また、抽出元の電話帳ファイルと新たな電話帳ファイルのリンク情報を使用することにより、新たな電話帳レコード単位又は電話帳ファイル単位で、元の電話帳ファイルの削除、更新を行うことが可能であり、例えば古くなった電話帳レコードを抽出して削除することや重要度の低い、あまり使わないであろう電話帳レコードを抽出して削除、更新する等の電話帳管理が簡単に実施することができる。
【００３８】
また、１つの電話帳レコードに複数の電話番号、メールアドレスが存在する場合にもそれぞれに個々の登録日及び重要度の情報を登録することにより、これらの情報の組合せの検索により全く新しい電話帳レコード又は電話帳ファイルを作ることができ、また、元の電話帳ファイルとのリンク情報の使用により、対象となる電話番号やメールアドレスだけを削除、更新することも可能である。
【００３９】
また、抽出した電話番号、メールアドレスだけの電話帳レコード又は電話帳ファイルを新たに作ることにより、削除、更新時にまず新たに作成した電話帳レコードで削除、更新してから、抽出元へ反映させるか否かの確認を可能とするため、誤って元のデータを削除、更新することが防止できる。
【図面の簡単な説明】
【図１】本発明の実施の形態の構成を示す図である。
【図２】本実施の形態のより詳細な構成を示す図である。
【図３】本実施の形態の電話帳レコードのデータ構成及び表示画面を示す図である。
【図４】電話帳レコードへの登録日時及び重要度情報の入力の方法を示すフロー図である。
【図５】登録日時情報と重要度情報を使った電話帳検索の方法のフロー図である。
【図６】抽出された電話帳レコードの削除、更新の方法を示すフロー図である。
【図７】電話帳ファイルのデータ構成及び表示画面を示す図である。
【図８】作成された電話帳ファイルの削除、更新の方法を示すフロー図である。
【符号の説明】
１  アンテナ
２  無線部
３  制御部
４  表示部
５  操作部
６  ＲＯＭ
６１  電話帳プログラム
６２  電話帳検索プログラム
６３  時計情報プログラム
７  ＲＡＭ
７１  電話番号格納領域
７２  メールアドレス格納領域
７３  登録日時情報格納領域
７４  重要度情報格納領域
８  通話部
【図１】
2004356905.tif 000003
【図２】
2004356905.tif 000004
【図３】
2004356905.tif 000005
【図４】
2004356905.tif 000006
【図５】
2004356905.tif 000007
【図６】
2004356905.tif 000008
【図７】
2004356905.tif 000009
【図８】
2004356905.tif 000010